【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】
複数の光源手段から放射された複数の光束を、同一の光偏向器の異なる複数の偏向面で偏向走査し、該偏向走査した複数の光束で異なる複数の被走査面を各々結像させる走査光学系において、
該複数の光源手段の個数は４ｎ個、該複数の光束は４ｎ・ｍ本（但し、ｎとｍは正の整数）であり、
該複数の光束が該光偏向器に入射する各光束の入射光路は、第一の断面及び第二の断面に対して対称に配置され、
第一の断面と第二の断面は互いに直交し、第一の断面は該光偏向器の回転軸に対して平行であり、第二の断面は該光偏向器の回転軸に対して垂直であり、
該複数の光束が該光偏向器に入射する各光束の入射光路は第一の断面及び第二の断面のそれぞれに対して対称であることを特徴とする走査光学系。
【請求項２】
前記複数の光束が前記光偏向器の偏向面に入射するときの各光束間の相対角度は、第一の断面に投影した場合と第二の断面に投影した場合で異なることを特徴とする請求項１記載の走査光学系。
【請求項３】
前記複数の光源手段から放射された複数の光束毎に各々光学素子が設けられており、該複数の光学素子は一体的に構成されて複合結像素子を構成しており、該複合結像素子は前記光源手段と前記光偏向器の間に設けられており、該複合結像素子を構成する複数の光学素子は、該複数の光束を各々前記偏向面又はその近傍に線像を形成することを特徴とする請求項１又は２記載の走査光学系。
【請求項４】
前記複合結像素子を構成する複数の光学素子は各々第一の断面と第二の断面のパワーが異なることを特徴とする請求項３記載の走査光学系。
【請求項５】
前記複合結像素子は第一の断面内にパワーを有するシリンダーレンズを含むことを特徴とする請求項３記載の走査光学系。
【請求項６】
前記複合結像素子を構成する１つの光学素子の第一の断面における焦点距離をＦｓ、該複合結像素子の第一の断面における光学素子の光軸間の相対角度を２θ、該複合結像素子上での第一の断面における光学素子の光軸間の距離を２Ｌとするとき、
０．７＜（Ｌ／ｓｉｎθ）／Ｆｓ＜１．３
となる条件を満足することを特徴とする請求項３記載の走査光学系。
【請求項７】
前記複合結像素子は第１、第２の複合光学素子を有し、該第１の複合光学素子によって前記光偏向器の第１の偏向面に複数の光束を入射させ、該第２の複合光学素子によって該光偏向器の第２の偏向面に別の複数の光束を入射させ、同時に偏向走査し異なる複数の被走査面を走査することを特徴とする請求項３に記載の走査光学系。
【請求項８】
前記複合結像素子は第１、第２の複合光学素子を有し、該第１の複合光学素子によって前記光偏向器の第１の偏向面に複数の光束を入射させ、第２の複合光学素子によって前記第１の偏向面に別の複数の光束を入射させ、同時に偏向走査し異なる複数の被走査面を走査することを特徴とする請求項３に記載の走査光学系。
【請求項９】
前記第１の複合光学素子と第２の複合光学素子は一体的に構成されていることを特徴とする請求項７記載の走査光学系。
【請求項１０】
前記光偏向器で偏向走査された光束の一部を同期検知手段に導くための同期検知光学素子が前記複合結像素子と一体的に構成されていることを特徴とする請求項３に記載の走査光学系。
【請求項１１】
前記同期検知光学素子は第一の断面内において、前記複合結像素子を構成する光学素子と離隔されていることを特徴とする請求項１０記載の走査光学系。
【請求項１２】
前記複数の光学素子は各々入射面と出射面のいづれか一方がアナモフィックな面、他方が回転対称面もしくは平面であり、該複数の光学素子はそれぞれの光軸が直交する２つの平面のそれぞれに対し対称になるように配置されていることを特徴とする請求項３に記載の走査光学系。
【請求項１３】
複数の光源手段から放射された複数の光束を、第一の断面内で異なる角度で光偏向器の偏向面に入射させ、該偏向面で偏向走査し該偏向走査した複数の光束で被走査面を各々結像させる走査光学系において、
該複数の光源手段からの放射された複数の光束毎に光学素子が設けられており、該複数の光学素子は一体的に構成されて複合結像素子を構成しており、該複合結像素子は該光源手段と該光偏向器との間に設けられており、該複合結像素子を構成する複数の光学素子は、複数の光束を各々偏向面に導光しており、
該複数の光学素子のうち２つの光学素子の光軸と、該偏向面の法線との成す角α１、α２は該２つの光学素子間で互いに異なっていることを特徴とする走査光学系。
【請求項１４】
前記複合結像素子を構成する複数の光学素子は各々第一の断面と第二の断面のパワーが異なることを特徴とする請求項１３記載の走査光学系。
【請求項１５】
前記複合結像素子は第一の断面内にパワーを有するシリンダーレンズを含むことを特徴とする請求項１３又は１４記載の走査光学系。
【請求項１６】
前記複合結像素子を構成する１つの光学素子の第一の断面における焦点距離をＦｓ、該複合結像素子の第一の断面における光学素子の光軸間の相対角度を２θ、該複合結像素子上での第一の断面における光学素子の光軸間の距離を２Ｌとするとき、
０．７＜（Ｌ／ｓｉｎθ）／Ｆｓ＜１．３
となる条件を満足することを特徴とする請求項１３、１４又は１５記載の走査光学系。
【請求項１７】
前記複合結像素子は第１、第２の複合光学素子を有し、該第１の複合光学素子によって前記光偏向器の第１の偏向面に複数の光束を入射させ、該第２の複合光学素子によって該光偏向器の第２の偏向面に別の複数の光束を入射させ、同時に偏向走査し異なる複数の被走査面を走査することを特徴とする請求項１３に記載の走査光学系。
【請求項１８】
前記複合結像素子は第１、第２の複合光学素子を有し、該第１の複合光学素子によって前記光偏向器の第１の偏向面に複数の光束を入射させ、第２複合光学素子によって前記第１の偏向面に別の複数の光束を入射させ、同時に偏向走査し異なる複数の被走査面を走査することを特徴とする請求項１３に記載の走査光学系。
【請求項１９】
前記第１の複合光学素子と第２の複合光学素子は一体的に構成されていることを特徴とする請求項１７記載の走査光学系。
【請求項２０】
前記光偏向器で偏向走査された光束の一部を同期検知手段に導くための同期検知光学素子が前記複合結像素子と一体的に構成されていることを特徴とする実施態様１３に記載の走査光学系。
【請求項２１】
前記同期検知光学素子は第一の断面内において、前記複合結像素子を構成する光学素子と離隔されていることを特徴とする請求項２０記載の走査光学系。
【請求項２２】
前記複数の光学素子は各々入射面と出射面のいづれか一方がアナモフィックな面、他方が回転対称面もしくは平面であり、該複数の光学素子はそれぞれの光軸が、直交する２つの平面のそれぞれに対し対称になるように配置されていることを特徴とする請求項１３に記載の走査光学系。
【請求項２３】
入射面と出射面のいづれか一方がアナモフィックな面、他方が回転対称面もしくは平面である光学素子を複数個有し、該複数の光学素子はそれぞれの光軸が、直交する２つの平面のそれぞれに対し対称になるように配置され、かつ一体的に構成されていることを特徴とする複合結像素子。
【請求項２４】
請求項１乃至２２の何れか１項に記載の走査光学系と、前記被走査面に配置された感光体と、前記走査光学系で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項２５】
請求項１乃至２２の何れか１項に記載の走査光学系と、外部機器から入力したコードデータを画像信号に変換して前記走査光学系に入力せしめるプリンタコントローラとを有していることを特徴とする画像形成装置。
【手続補正２】
【補正対象書類名】明細書
【補正対象項目名】００１８
【補正方法】変更
【補正の内容】
【００１８】
【課題を解決するための手段】
本発明の走査光学系は、
◎複数の光源手段から放射された複数の光束を、同一の光偏向器の異なる複数の偏向面で偏向走査し、該偏向走査した複数の光束で異なる複数の被走査面を各々結像させる走査光学系において、
該複数の光源手段の個数は４ｎ個、該複数の光束は４ｎ・ｍ本（但し、ｎとｍは正の整数）であり、
該複数の光束が該光偏向器に入射する各光束の入射光路は、第一の断面及び第二の断面に対して対称に配置され、
第一の断面と第二の断面は互いに直交し、第一の断面は該光偏向器の回転軸に対して平行であり、第二の断面は該光偏向器の回転軸に対して垂直であり、
該複数の光束が該光偏向器に入射する各光束の入射光路は第一の断面及び第二の断面のそれぞれに対して対称であることを特徴としている。
◎複数の光源手段から放射された複数の光束を、第一の断面内で異なる角度で光偏向器の偏向面に入射させ、該偏向面で偏向走査し該偏向走査した複数の光束で被走査面を各々結像させる走査光学系において、
該複数の光源手段からの放射された複数の光束毎に光学素子が設けられており、該複数の光学素子は一体的に構成されて複合結像素子を構成しており、該複合結像素子は該光源手段と該光偏向器との間に設けられており、該複合結像素子を構成する複数の光学素子は、複数の光束を各々偏向面に導光しており、
該複数の光学素子のうち２つの光学素子の光軸と、該偏向面の法線との成す角α１、α２は該２つの光学素子間で互いに異なっていることを特徴としている。
本発明の複合結像素子は、入射面と出射面のいづれか一方がアナモフィックな面、他方が回転対称面もしくは平面である光学素子を複数個有し、該複数の光学素子はそれぞれの光軸が、直交する２つの平面のそれぞれに対し対称になるように配置され、かつ一体的に構成されていることを特徴としている。
【手続補正３】
【補正対象書類名】明細書
【補正対象項目名】００１９
【補正方法】変更
【補正の内容】
【００１９】
【発明の実施の形態】
［実施形態１］
図１、図２は各々本発明の走査光学系の実施形態１の要部断面図である。図１は光偏向器から感光ドラム面までの走査光学系の副走査方向の要部断面図（副走査断面図，第一の断面）、図２は光源手段から光偏向器までの走査光学系の副走査断面図である。
【手続補正４】
【補正対象書類名】明細書
【補正対象項目名】００２０
【補正方法】変更
【補正の内容】
【００２０】
ここで、主走査方向とは光偏向器の回転軸及び結像光学系の光軸に垂直な方向（光偏向器で光束が反射偏向（偏向走査）される方向）を示し、副走査方向とは光偏向器の回転軸と平行な方向を示す。また主走査断面（第二の断面）とは主走査方向に平行で結像光学系の光軸を含む平面を示す。また副走査断面とは主走査断面と垂直な断面を示す。
【手続補正５】
【補正対象書類名】明細書
【補正対象項目名】００４９
【補正方法】変更
【補正の内容】
【００４９】
尚、本実施形態では４つの光源手段１ａ〜１ｄから各々１本ずつ計４本の光束が放射される形態をとっているが、これに限定されるのもではない。例えば４つの光源手段１ａ〜１ｄを各々１チップからｍ本の光束が放射されるモノリシックなマルチレーザ光源に置き換えたり、ｎ個のレーザチップとビーム合成系からなる既知のマルチレーザ光源に置き換えたりしてもよい。このような多光源化を図ることで高速で４色同時に書き込みをする事が可能になる。このとき光束は数はトータルで4ｎ・ｍ本（但し、ｎとｍは正の整数）になる。
【手続補正６】
【補正対象書類名】明細書
【補正対象項目名】００７５
【補正方法】変更
【補正の内容】
【００７５】
また本実施形態では４つの光源手段１ａ〜１ｄからそれぞれ１本ずつ計４本の光束が放射される形態をとっているが、これに限定されるのもではない。例えば４つの光源手段１ａ〜１ｄをそれぞれ１チップからｍ本のビームが放射されるモノリシックなマルチレーザ光源に置き換えたり、ｎ個のレーザチップとビーム合成系からなる既知のマルチレーザ光源に置き換えたりしてもよい。このような多光源化を図ることで、高速で４色同時に書き込みをすることが可能になる。このとき光束はトータルで4ｎ・ｍ本（但し、ｎとｍは正の整数）になる。
【手続補正７】
【補正対象書類名】明細書
【補正対象項目名】００９８
【補正方法】変更
【補正の内容】
【００９８】
［実施態様１］
複数の光源手段から放射された複数の光束を、同一の光偏向器の異なる複数の偏向面で偏向走査し、該偏向走査した複数の光束で異なる複数の被走査面を各々走査する走査光学系において、
該複数の光源手段の個数は４ｎ個、該複数の光束は４ｎ・ｍ本（但し、ｎとｍは正の整数）であり、
該複数の光束が該光偏向器に入射する各光束の入射光路が、該光偏向器の回転軸を含む面の副走査断面及び光偏向器の回転軸に垂直な面の主走査断面のそれぞれに対して対称であることを特徴とする走査光学系。